(57)【特許請求の範囲】
【請求項１】
散粒状ないし薄層状に流動する穀物に遠赤外線を照射して穀物を乾燥する遠赤外線利用穀物乾燥装置において、穀物が散粒状ないし薄層状に流動する部位に対向させて遠赤外線放射体を設け、この遠赤外線放射体を、遠赤外線放射体の加熱度の高い上面側が順次下方に転換して流下する穀物と対向するように回転させることを特徴とする遠赤外線利用穀物乾燥装置。
【請求項２】
乾燥機本体の上段に穀物貯留槽、中段に通風乾燥部、下段に穀物取出槽をそれぞれ設け、穀物貯留槽に貯留した穀物を通風乾燥部、穀物取出槽、穀物貯留槽の経路で循環流動させながら通風乾燥部で通風乾燥する穀物乾燥装置において、穀物取出槽内に、通風乾燥部から穀物が散粒状ないし薄層状に流下する穀物に遠赤外線を照射する遠赤外線放射体を設け、この遠赤外線放射体を、時間の経過に伴って遠赤外線放射体の加熱度の高い上面側が順次下方に転換して流下する穀物と対向するように回転させることを特徴とする遠赤外線利用穀物乾燥装置。
【請求項３】
遠赤外線放射体は円筒形であって、その一端の軸心にバーナの炎熱放射筒を臨ませ、かつ他端の軸心に排気筒を接続するとともに、遠赤外線放射体は円筒形の軸心を中心にして回転する構成であることを特徴とする請求項１または２記載の遠赤外線利用穀物乾燥装置。
【請求項４】
遠赤外線放射体の外周面に摺接する払拭体を設けたことを特徴とする請求項３記載の遠赤外線利用穀物乾燥装置。
【発明の詳細な説明】
【０００１】
【発明の属する技術分野】
本発明は、穀物を散粒状ないし薄層状に流動させながら遠赤外線を照射することにより、穀物を乾燥する遠赤外線利用穀物乾燥装置に関する。
【０００２】
【従来の技術】
乾燥機本体の上段に穀物貯留槽、中段に通風乾燥部、下段に穀物取出槽をそれぞれ設け、穀物貯留槽に貯留した穀物を通風乾燥部、穀物取出槽、穀物貯留槽の経路で循環流動させながら通風乾燥部で通風乾燥する穀物乾燥機は、特公平５−２２８３４号公報または特開平６−３０５２号公報に記載されており、この従来の穀物乾燥機においては、通風乾燥部の乾燥通路を流下する穀物に、乾燥通路の側面から乾燥通路を横切るように遠赤外線を照射することにより、遠赤外線による乾燥も併せて施して乾燥の効率化を図っている。
【０００３】
ところが、上記従来の穀物乾燥機のように、通風乾燥部の乾燥通路を横切るように遠赤外線を照射するものでは、穀物が乾燥通路を充満状態で流下するところから、乾燥通路の遠赤外線を照射する側とその反対側とで、流下する穀物が遠赤外線によって受ける熱量にかなりの差異が生じ、乾燥通路の幅方向に乾燥ムラを起こして、穀物を均等に乾燥することができないことが分かった。
【０００４】
そこで、本出願人は、先に、通風乾燥部から穀物が散粒状ないし薄層状に流下する穀物取出槽内に遠赤外線放射体を設けることにより、循環流動する穀物に遠赤外線を均等に照射して、乾燥ムラを起こすことなく、穀物を効率よく均等に乾燥することができる遠赤外線利用穀物乾燥機を提案するに至っている（特開平８−１４７４５号公報参照）。
【０００５】
【発明が解決しようとする課題】
しかしながら、上記特開平８−１４７４５号公報に示すように、通風乾燥部から穀物が散粒状ないし薄層状に流下する穀物取出槽内では、穀物に混在する塵埃等が常時浮遊するので、穀物取出槽内に設けた遠赤外線放射体の上面に塵埃が堆積して発火の原因となり、火災発生の危険が大であることが判明した。
【０００６】
また、穀物乾燥機で用いる遠赤外線放射体は、円筒体をその内部に熱を供給して加熱することにより外周に遠赤外線を放射させるものであるから、円筒体の上面側が下面側より温度が高くなって円周面の温度分布が均一にならず、このことが穀物に乾燥ムラを起こさせるだけでなく、遠赤外線の有効利用率が低下する原因になっていることも判明した。
【０００７】
そこで、本発明は、遠赤外線放射体を回転させることにより、遠赤外線放射体の周面全体の温度分布を均一化し、散粒状ないし薄層状に流動する穀物に照射する遠赤外線を均等にして乾燥ムラの発生を防止するとともに、遠赤外線放射体の加熱度の高い上面側を順次下方に転換して流下する穀物と対向させて乾燥効率の向上を図ることができ、しかも、遠赤外線放射体に塵埃の堆積を無くして火災発生の危険を防止することができる遠赤外線利用穀物乾燥装置を提供することを目的とする。
【０００８】
【課題を解決するための手段】
上記目的を達成するため、本発明に係る遠赤外線利用穀物乾燥装置は、散粒状ないし薄層状に流動する穀物に遠赤外線を照射して穀物を乾燥する遠赤外線利用穀物乾燥装置において、穀物が散粒状ないし薄層状に流動する部位に対向させて遠赤外線放射体を設け、この遠赤外線放射体を、遠赤外線放射体の加熱度の高い上面側が順次下方に転換して流下する穀物と対向するように回転させることを特徴とするものである。
【０００９】
また、本発明に係る遠赤外線利用穀物乾燥装置は、乾燥機本体の上段に穀物貯留槽、中段に通風乾燥部、下段に穀物取出槽をそれぞれ設け、穀物貯留槽に貯留した穀物を通風乾燥部、穀物取出槽、穀物貯留槽の経路で循環流動させながら通風乾燥部で通風乾燥する穀物乾燥装置において、穀物取出槽内に、通風乾燥部から穀物が散粒状ないし薄層状に流下する穀物に遠赤外線を照射する遠赤外線放射体を設け、この遠赤外線放射体を、時間の経過に伴って遠赤外線放射体の加熱度の高い上面側が順次下方に転換して流下する穀物と対向するように回転させることを特徴とするものである。
【００１０】
そして、本発明は、この構成の遠赤外線利用穀物乾燥機において、遠赤外線放射体が円筒形であり、その一端の軸心にバーナの炎熱放射筒を臨ませ、かつ他端の軸心に排気筒を接続するとともに、遠赤外線放射体は円筒形の軸心を中心にして回転する構成とするのが好適である。
【００１１】
また、本発明においては、遠赤外線放射体の外周面に摺接する払拭体を設けることが好適である。
【００１２】
なお、本発明において、遠赤外線放射体の回転とは、連続一方向回転のほか、間欠一方向回転、連続または間欠交互回転、さらには上下反転などのように、遠赤外線放射体の、流動する穀物に対向する面を転換させる全ての手段である。
【００１３】
【発明の実施の形態】
図面は本発明に係る遠赤外線利用穀物乾燥装置の一実施の形態を示しており、図１は遠赤外線利用穀物乾燥装置の全体縦断正面図、図２は同上縦断側面図、図３は一部の縦断背面図、図４は遠赤外線放射体の一部を破断して示す側面図、図５は同上斜視図である。
【００１４】
１は乾燥機本体であって、乾燥機本体１の上段には穀物貯留槽２が、中段には通風乾燥部３が、さらに下段には穀物取出槽４がそれぞれ設けられている。穀物取出槽４の下部にはその前後方向全長にわたる穀物搬出コンベア５が設けられており、穀物搬出コンベア５と穀物貯留槽２の上部の上部コンベア６間は昇降機７によって連絡されていて、穀物搬出コンベア５、昇降機７および上部コンベア６を介して、穀物貯留槽２、通風乾燥部３、穀物取出槽４、穀物貯留槽槽２の経路で穀物が循環されるように構成されている。
【００１５】
上記通風乾燥部３は通気壁により形成された複数の乾燥通路８をなしていて、その乾燥通路８を構成する熱風供給胴は、熱風供給室９に連通し、排風胴は排風室１０に連通しており、排風室１０には吸引送風機１１が備えられている。
【００１６】
穀物取出槽４は、その上部両側から穀物搬出コンベア５の搬送樋にかけて傾斜する流穀板１２と両側壁１３とで囲まれて形成されている。
【００１７】
穀物取出槽４内には、遠赤外線放射体１４が配設されており、この遠赤外線放射体１４は、穀物取出槽４の前後方向略全長にわたる円筒形のものである。この遠赤外線放射体１４から放射される遠赤外線は、通風乾燥部３の乾燥通路８から繰出ロール１５の回転により繰り出されて、流穀板１２面上を穀物が散粒状ないし薄層状に流下する穀物に照射される。遠赤外線放射体１４の一端には、ガンタイプのバーナ１６の炎熱放射筒１７が軸心に臨ませてあり、遠赤外線放射体１４の他端に排気筒１８が軸心に接続されている。この排気筒１８は熱風供給室９に導かれていて、その接続部に遠赤外線放射体１４側から排気を吸引する吸引圧力調整器１９が介在されている。遠赤外線放射体１４は、燃料の燃焼により穀物の乾燥に適した波長の遠赤外線を放射するものである。
【００１８】
上記遠赤外線放射体１４の上方には、反射板２０が設けられている。この反射板２０は、遠赤外線放射体１４から放射される遠赤外線を流穀板１２，１２の方向に拡散状に反射して、流穀板１２の面上を流下する穀物に遠赤外線を均等に照射するためのものである。したがって、その形状および遠赤外線放射体１４からの距離等は、流穀板１２の面に向けて遠赤外線を均等に照射するのに適した状態に設定される。反射板２０はアルミニウム、ステンレススチール等の磨き板で構成される。
【００１９】
遠赤外線放射体１４は、両端の軸支部２１によって回転自在であり、遠赤外線放射体１４のスプロケット２２と前記繰出ロール１５のスプロケット２３とに懸架したチェーン２４により、遠赤外線放射体１４は繰出ロール１５に連動して低速で連続回転するようになっている。なお、ガンタイプのバーナ６と排気筒１８は遠赤外線放射体１４の回転を妨げない構造でそれぞれ接続されている。２５はチェーン２４のテンション機構、２６は循環穀物の除塵機、２７は上部コンベア６の駆動モータである。
【００２０】
以上のように構成された遠赤外線利用穀物乾燥装置において、穀物貯留槽２から通風乾燥部３の乾燥通路８を流下する穀物は、熱風供給室９から熱風供給胴を経て乾燥通路８を横切り排風胴に流通して排風室１０に流通する吸引熱風で通風乾燥される。そして、通風乾燥部３で通風乾燥された穀物は、各乾燥通路８の下端にはそれぞれ備えられた繰出ロール１５の回転により散粒状ないし薄層状をなして穀物取出槽４内の流穀板１２上を流下し、その流下の過程で遠赤外線放射体１４から遠赤外線が照射され、遠赤外線による乾燥が施される。
【００２１】
遠赤外線放射体１４は、繰出ロール１５に連動して低速で回転しているので、上下で加熱ムラが生じてもその周面の温度分布は均一になる。このため、穀物取出槽４内の流穀板１２上を流下する穀物に対して遠赤外線放射体１４から照射される遠赤外線が均等になり、乾燥ムラが生じないばかりでなく、遠赤外線放射体１４の加熱度の高い上面側が順次下方に転換して流下する穀物と対向するので、遠赤外線による乾燥効率が向上する。
【００２２】
また、遠赤外線放射体１４が乾燥中は回転し続けるので、その上面に塵埃が堆積することがなく、堆積塵埃の発火に起因する火災発生の危険を防止することができる。
【００２３】
一方、遠赤外線放射体１４の外周面に摺接する払拭体（図示せず）を設けることにより、遠赤外線放射体１４の表面にある種の塵埃が焼付き状に付着することがあっても、それを確実に払拭することができ、遠赤外線放射体１４の表面を常に清浄に保って、遠赤外線の放射効率を高く維持することができる。なお、この構成にすることにより、遠赤外線放射体１４に対する塵埃の堆積防止をいっそう確実にすることができることは勿論である。
【００２４】
【発明の効果】
本発明によれば、遠赤外線放射体を回転させることにより、遠赤外線放射体の周面全体の温度分布を均一化して、散粒状ないし薄層状に流動する穀物に照射する遠赤外線を均等にして乾燥ムラの発生を防止するとともに、遠赤外線放射体の加熱度の高い上面側を順次下方に転換して流下する穀物と対向させて乾燥効率の向上を図ることができ、しかも、遠赤外線放射体に塵埃の堆積を無くして火災発生の危険を防止することができる。
【図面の簡単な説明】
【図１】遠赤外線利用穀物乾燥装置の全体縦断正面図である。
【図２】遠赤外線利用穀物乾燥装置の全体縦断側面図である。
【図３】一部の縦断背面図である。
【図４】遠赤外線放射体の一部を破断して示す側面図である。
【図５】遠赤外線放射体の斜視図である。
【符号の説明】
１  乾燥機本体
２  穀物貯留槽
３  通風乾燥部
４  穀物取出槽
５  穀物搬出コンベア
６  上部コンベア
７  昇降機
８  乾燥通路
９  熱風供給室
１０  排風室
１１  吸引送風機
１２  流穀板
１３  側壁
１４  遠赤外線放射体
１５  繰出ロール
１６  バーナ
１７  炎熱放射筒
１８  排気筒
１９  圧力調整器
２０  反射板
２１  軸支部
２２  スプロケット
２３  スプロケット
２４  チェーン
２５  テンション機構
２６  除塵機
２７  駆動モータ
【図１】
0003833750.tif 000002
【図２】
0003833750.tif 000003
【図３】
0003833750.tif 000004
【図４】
0003833750.tif 000005
【図５】
0003833750.tif 000006